(57)【要約】【課題】中差し機能により中差し用紙に印刷を行う場合に、中差し用紙に対する印刷結果の画質を向上させるとともに印刷速度を速めることが可能な画像形成装置およびその制御方法を提供すること。【解決手段】ＯＨＰシートの中差し用紙にも印刷を行うように指定したとき（８６）は、ＯＨＰシートに対する印刷条件の設定とは独立に、中差し用紙のメディアタイプ（８７）、中差し用紙のカラー設定（８８）等の中差し用紙の印刷条件を設定する手段を設ける。【選択図】　図８
2004078117.tif 000002
【特許請求の範囲】
【請求項１】
第１の記録媒体に画像を形成して排出する際に、画像形成済みの第１の記録媒体の間に、別途供給される第１の記録媒体とは異なる種類の第２の記録媒体を中差しする中差し手段を備えた画像形成装置であって、
前記第１の記録媒体に対する画像形成の条件を設定する第１の設定手段と、
前記第２の記録媒体にも画像形成を行う場合、前記第１の設定手段とは独立に、前記第２の記録媒体に対する画像形成の条件を設定する第２の設定手段と、
を備えることを特徴とする画像形成装置。
【請求項２】
前記第１の記録媒体がＯＨＰシートであることを特徴とする請求項１に記載の画像形成装置。
【請求項３】
前記第２の設定手段で設定する画像形成の条件は、前記第２の記録媒体の種類を含むことを特徴とする請求項１に記載の画像形成装置。
【請求項４】
前記第２の設定手段で設定する画像形成の条件は、前記第２の記録媒体のカラー設定を含むことを特徴とする請求項１に記載の画像形成装置。
【請求項５】
第１の記録媒体に画像を形成して排出する際に、画像形成済みの第１の記録媒体の間に、別途供給される第１の記録媒体とは異なる種類の第２の記録媒体を中差しする中差し手段を備えた画像形成装置の制御方法であって、
前記第１の記録媒体に対する画像形成の条件を設定する第１の設定ステップと、
前記第２の記録媒体にも画像形成を行う場合、前記第１の設定ステップとは独立に、前記第２の記録媒体に対する画像形成の条件を設定する第２の設定ステップと、
を有することを特徴とする画像形成装置の制御方法。
【請求項６】
第１の記録媒体に画像を形成して排出する際に、画像形成済みの第１の記録媒体の間に、別途供給される第１の記録媒体とは異なる種類の第２の記録媒体を中差しする中差し手段を備えた画像形成装置を制御するために、コンピュータを、
前記第１の記録媒体に対する画像形成の条件を設定する第１の設定手段、
前記第２の記録媒体にも画像形成を行う場合、前記第１の設定手段とは独立に、前記第２の記録媒体に対する画像形成の条件を設定する第２の設定手段、
として機能させるためのプログラム。
【発明の詳細な説明】
【０００１】
【発明の属する技術分野】
本発明は画像形成装置およびその制御方法に関するものである。
【０００２】
【従来の技術】
画像形成装置でＯＨＰシートを印刷する際、印刷済みのＯＨＰシートを図１７に示すようなかたちで排出トレイ上で直接重ねてしまうと、ＯＨＰシート同士の接触によってトナーやインクが落ちたり、静電気によって各シートの縁を揃えることが難しくなる等の欠点があることが知られている。
【０００３】
この欠点を解決するために、図１８に示すように、ＯＨＰシート間に自動的にＯＨＰシート以外の用紙（例えば普通紙）を差し込む、いわゆる中差し印刷機能を有する画像形成装置がある。
【０００４】
さらに、図１９に示すように、差し込む用紙に、直前に印刷したＯＨＰシートと同一の画像を印刷することで、用意にＯＨＰシートと紙の資料を同時に作成することを可能にしたものもある。
【０００５】
図７は、従来の中差し印刷機能を有する画像形成装置におけるプリントダイアログの一例を示す図である。操作者は、「メディアタイプ」欄７１で、印刷に使用する記録媒体の種類（メディアタイプ）を選択し、「カラー設定」欄７２で、選択したメディアタイプに対する画像処理内容を選択し、「給紙先」欄７３で給紙先を選択することができる。また、「メディアタイプ」欄７１でＯＨＰシートを選択した場合には、７４で中差し機能をＯＮにしてＯＨＰシート間に用紙を挟むかどうかを選択でき、さらに、７５で中差し用紙の給紙先、７６で中差し用紙にも印刷するかどうかの指定を行うことができる。
【０００６】
【発明が解決しようとする課題】
しかし、上記したような中差し用紙への印刷は従来、ＯＨＰシートに対する印刷設定（図７の７２，７３での設定内容）と同一の設定でしか行うことができなかった。つまり、図７のプリントダイアログを介して設定される印刷属性としては図１２に示すような項目しか作成されず、中差し用紙に対する印刷条件はこの印刷属性に制約されることになる。そのため、中差し用紙に対する印刷条件が不適切になり、中差し用紙への印刷結果の画質低下や印刷速度の低下を招く場合があるという問題があった。
【０００７】
具体的には、ＯＨＰシートを印刷する場合には一般に、その材質の性質（透過性、発色性等）を考慮した所定の画像処理が事前に施されるとともに、プリンタ側でもＯＨＰシートに適したプロセス処理（定着性の向上を図るためのエンジンスピードの低速化等）が施される。従来、上記したような中差し用紙への印刷にもこのような処理が行われてしまうため、中差し用紙への印刷結果の画質が低下したり、不必要に印刷速度が低下してしまうのである。
【０００８】
そこで、本発明は、中差し機能により中差し用紙に印刷を行う場合に、中差し用紙に対する印刷結果の画質を向上させるとともに印刷速度を速めることが可能な画像形成装置およびその制御方法を提供することを目的とする。
【０００９】
【課題を解決するための手段】
上記した目的を達成するために、例えば本発明の画像形成装置は、次の構成を備える。すなわち、第１の記録媒体に画像を形成して排出する際に、画像形成済みの第１の記録媒体の間に、別途供給される第１の記録媒体とは異なる種類の第２の記録媒体を中差しする中差し手段を備えた画像形成装置であって、前記第１の記録媒体に対する画像形成の条件を設定する第１の設定手段と、前記第２の記録媒体にも画像形成を行う場合、前記第１の設定手段とは独立に、前記第２の記録媒体に対する画像形成の条件を設定する第２の設定手段と、を備えることを特徴とする。
【００１０】
【発明の実施の形態】
図５は、本実施形態に係る画像形成システムの構成を示す図である。図示のとおり、本実施形態における画像形成システムはホストコンピュータ１０とプリンタ２０とがネットワークを介して接続された構成である。ホストコンピュータとプリンタとの接続形態はもちろんこれに限るものではなく、例えば図６に示すように、プリントサーバが介在する形態でもよい。
【００１１】
図１は、図５におけるホストコンピュータ１０およびプリンタ２０の構成を示す図である。
【００１２】
ホストコンピュータ１０は、このホストコンピュータ全体の動作をつかさどる制御部１０１０をはじめ、以下の構成を備える。
【００１３】
１０２０はプリンタ２０と接続するための接続部である。１０３０は記憶部であり、具体的には、メインメモリとして機能するＲＡＭ、ブートプログラム等を記憶するＲＯＭ、およびアプリケーションプログラムや各種データ等を記憶するディスク装置を含む。１０４０は表示部、１０５０はフレキシブルディスク（例えばフロッピディスク）１０６０の内容を読み取る媒体読取部、１０７０は各種設定情報等を入力するキーボードやマウス等を含む入力部である。
【００１４】
プリンタ２０は、このプリンタ全体の動作をつかさどる制御部２０１０をはじめ、以下の構成を備える。
【００１５】
２０２０はホストコンピュータ１０と接続するための接続部である。２０３０は記憶部であり、具体的には、メインメモリとして機能するＲＡＭ、制御プログラム等を記憶するＲＯＭ、および各種データ等を記憶するディスク装置を含む。また、２０４０は印刷部（プリンタエンジン）２０４０、２０５０は記録媒体（おＨＰシート、紙シート等）を印刷部２０４０に供給する給紙部、そして、２０６０は印刷部２０４０で印刷された記録媒体を排出する排紙部である。
【００１６】
ホストコンピュータ１０の記憶部１０３０のディスク装置には本発明を実現するプログラムが格納されており、ホストコンピュータ１０が起動された時点でそのプログラムが記憶部１０３０のＲＡＭに読み込まれ制御部１０１０によって実行される。なお、本発明を実現するプログラムは、後述する図１４、図１５、図１６に示されるフローチャートに従う動作を行わせる。
【００１７】
あるいは、ホストコンピュータ１０の媒体読取部１０５０から本発明を実現するプログラム及び関連データを取り込んで実行することも可能である。この場合、本発明を実現するプログラム及び関連データがフレキシブルディスク１０６０に記録されており、その内容は、図２に示すように、そのフレキシブルディスク１０６０をホストコンピュータ１０の所定のスロットに挿入することで読み取られる。また、フレキシブルディスク１０１６における記憶フォーマットは例えば図４に示すようになっている。
【００１８】
図３は、フレキシブルディスク１０６０から、本発明を実現するプログラム及び関連データが記憶部１０３０のＲＡＭにロードされた後のそのＲＡＭのメモリマップを示す図である。図示の如く、ＯＳ及び基本Ｉ／Ｏプログラム、そして、フレキシブルディスク１０６０から読み出した本発明を実現するプログラム及び関連データがロードされて動作可能になる。図３は本発明がホストの記憶部（１０３０）のＲＡＭにロードされて動作可能となっている。
【００１９】
プリンタ２０は、例えば、「普通紙」、「厚紙」、「ＯＨＰシート」、「光沢フィルム」の４種類の記録媒体（メディアタイプ）に対応しており、メディアタイプ毎に印刷処理の内容を切り換えることが可能である。そして、ＯＨＰシートに印刷する際には、定着性の向上を図るために、エンジンスピードの低速化等が施される。
【００２０】
また、ホストコンピュータ１０は、図１０に示すような種類のカラー設定の指定及び処理が可能である。カラー設定の「ＯＨＰ用設定」はＯＨＰシートに印刷する際に最適化される画像処理関連の設定がまとめられたものであり、「階調優先」は光沢フィルムに印刷する際に写真画像などの階調性を優先して画像処理をおこなう設定がまとめられたものである。
【００２１】
図１４，１５，１６は、本実施形態におけるホストコンピュータ１０における印刷制御処理を示すフローチャートである。このフローチャートに対応するプログラムは記憶部１０３０のディスク装置に格納されているものであり、ホストコンピュータ１０の電源投入後、記憶部１０３０のＲＡＭにロードされ制御部１０１０によって実行される。
【００２２】
ホストコンピュータ１０において、アプリケーション等から印刷指示がなされると、プリンタドライバによるプリントダイアログを表示部１０４０に表示する（ステップＳ１４０１）。
【００２３】
図８は、実施形態におけるプリントダイアログの一例を示す図である。
【００２４】
操作者は、「メディアタイプ」欄８１で、印刷に使用する記録媒体の種類（メディアタイプ）を選択することができる。「メディアタイプ」欄８１を例えばマウスでクリックすると、図９に示すようなリストが表示され、この中から指定することができる。
【００２５】
また、操作者は、「カラー設定」欄８２で、選択したメディアタイプに対する画像処理内容を選択することができる。「カラー設定」欄８２を例えばマウスでクリックすると、図１０に示すようなリストが表示され、この中から指定することができる。
【００２６】
また、操作者は、「給紙先」欄８３で、給紙先を選択することもできる。「給紙先」欄８３を例えばマウスでクリックすると、図１１に示すようなリストが表示され、この中から指定することができる。
【００２７】
また、「メディアタイプ」欄８１でＯＨＰシートを選択した場合には、８４で中差し機能をＯＮにしてＯＨＰシート間に用紙を挟むかどうかを選択できる。また、８５で中差し用紙の給紙先、８６で、直前に印刷したＯＨＰシートと同一の画像を中差し用紙にも印刷するかどうかの指定を行うことができる。
【００２８】
さらに、本実施形態では、８６で中差し用紙にも印刷するように指定したときは、８７で中差し用紙のメディアタイプ、８８で中差し用紙のカラー設定を指定することができる。つまり、これにより、ＯＨＰシートに対する印刷条件とは独立に、中差し用紙に対する印刷条件を設定することができる。
【００２９】
続くステップＳ１４０２では、図８の「メディアタイプ」欄８１が入力部１０７０によって設定されたか否かを判断する。メディアタイプが設定された場合には、ステップＳ１４０３に進み、その設定値を、図１３に示すようなデータ構造の印刷属性テーブルの項目［メディアタイプ］（Ｎｏ．１）の対応する位置に記述して記憶部１０３０のＲＡＭに保存した後ステップＳ１４０４に進む。図１３の例では、「ＯＨＰシート」が設定されている。ステップＳ１４０２で、メディアタイプが設定されていない場合には、そのままステップＳ１４０４へ進む。
【００３０】
ステップＳ１４０４では、図８の「カラー設定」欄８２が入力部１０７０によって設定されたか否かを判断する。カラー設定が設定された場合には、ステップＳ１４０５に進み、その設定値を、図１３に示した印刷属性テーブルの項目［カラー設定］（Ｎｏ．２）の対応する位置に記述して記憶部１０３０のＲＡＭに保存した後ステップＳ１４０６に進む。図１３の例では、「ＯＨＰ用設定」が設定されている。ステップＳ１４０４で、カラー設定が設定されていない場合には、そのままステップＳ１４０６へ進む。
【００３１】
ステップＳ１４０６では、図８の「給紙先」欄８３が入力部１０７０によって設定されたか否かを判断する。給紙先が設定された場合には、ステップＳ１４０７に進み、その設定値を、図１３に示した印刷属性テーブルの項目［給紙先］（Ｎｏ．３）の対応する位置に記述して記憶部１０３０のＲＡＭに保存した後ステップＳ１４０８に進む。図１３の例では、「トレイ」が設定されている。ステップＳ１４０６で、給紙先が設定されていない場合には、そのままステップＳ１４０８へ進む。
【００３２】
以上のステップＳ１４０２〜Ｓ１４０７で、ＯＨＰシートに関する設定がされることになる。
【００３３】
ステップＳ１４０８では、図８のプリントダイアログで［給紙方法］が入力部１０７０によって設定されたか否かを判断する。給紙方法が設定された場合には、ステップＳ１４０９に進み、その設定値を、図１３に示した印刷属性テーブルの項目［給紙方法］（Ｎｏ．４）の対応する位置に記述して記憶部１０３０のＲＡＭに保存した後ステップＳ１４１０に進む。図１３の例では、「ＯＨＰシートの間に用紙をはさむ」が設定されている。ステップＳ１４０８で、給紙方法が設定されていない場合には、そのままステップＳ１４１０へ進む。
【００３４】
ステップＳ１４１０では、図８のプリントダイアログで「中差し用紙の給紙先」欄８５が入力部１０７０によって設定されたか否かを判断する。中差し用紙の給紙先が設定された場合には、ステップＳ１４１１に進み、その設定値を、図１３に示した印刷属性テーブルの項目［中差し用紙の給紙先］（Ｎｏ．５）の対応する位置に記述して記憶部１０３０のＲＡＭに保存した後ステップＳ１４１２に進む。図１３の例では、「カセット１」が設定されている。ステップＳ１４１０で、中差し用紙の給紙先が設定されていない場合には、そのままステップＳ１４１２へ進む。
【００３５】
ステップＳ１４１２では、図８のプリントダイアログで「中差し用紙にも印刷する」が入力部１０７０によって設定されたか否かを判断する。中差し用紙にも印刷するよう設定された場合には、ステップＳ１４１３に進み、その設定値を、図１３に示した印刷属性テーブルの項目［中差し用紙への印刷］（Ｎｏ．６）の対応する位置に記述して記憶部１０３０のＲＡＭに保存した後ステップＳ１４１４に進む。図１３の例では、中差し用紙にも印刷することを示す「チェック」が設定されている。ステップＳ１４１２で、中差し用紙にも印刷するように設定されていない場合には、そのままステップＳ１４１４へ進む。
【００３６】
以上のステップＳ１４１０〜Ｓ１４１１で、中差し用紙の給紙先のみに関する設定がされることになる。
【００３７】
次に、ステップＳ１４１４で、記憶部（１０３０）のＲＡＭに保存してある印刷属性テーブルのＮｏ．６の設定値を参照し、「中差し用紙にも印刷する」がチェックされているか否か判断する。「中差し用紙にも印刷する」がチェックされているときは、ステップＳ１４１５に進み、例えば図１６に示すような方法で中差し用紙に関する印刷設定の処理を行う。
【００３８】
図１６において、まず、図８の「中差し用紙のメディアタイプ」欄８７が入力部１０７０によって設定されたか否かを判断する（ステップＳ１６０１）。中差し用紙のメディアタイプが設定された場合には、ステップＳ１６０２に進み、その設定値を、図１３に示したデータ構造の印刷属性テーブルの項目［中差し用紙のメディアタイプ］（Ｎｏ．７）の対応する位置に記述して記憶部１０３０のＲＡＭに保存した後ステップＳ１６０３に進む。図１３の例では、「光沢フィルム」が設定されている。ステップＳ１６０１で、中差し用紙のメディアタイプが設定されていない場合には、そのままステップＳ１６０３へ進む。
【００３９】
続くステップＳ１６０３では、図８の「中差し用紙のカラー設定」欄８８が入力部１０７０によって設定されたか否かを判断する（ステップＳ１６０３）。中差し用紙のカラー設定が設定された場合には、ステップＳ１６０４に進み、その設定値を、図１３に示したデータ構造の印刷属性テーブルの項目［中差し用紙のカラー設定］（Ｎｏ．８）の対応する位置に記述して記憶部１０３０のＲＡＭに保存してこのステップＳ１４１５の処理を終え、図１４のステップＳ１４１６に進む。図１３の例では、「階調優先」が設定されている。ステップＳ１６０３で、中差し用紙のカラー設定が設定されていない場合には、そのままこのステップＳ１４１５の処理を終え、ステップＳ１６０３へ進む。
【００４０】
説明を図１４のフローチャートに戻す。
【００４１】
次に、ステップＳ１４１６で、入力部１０７０により「キャンセル」ボタン８９が選択された否かを判断する。「キャンセル」ボタン８９が選択された場合は、本処理を終了する。一方、「キャンセル」ボタン８９が選択されていない場合は、次のステップＳ１４１７へ進む。
【００４２】
ステップＳ１４１７では、入力部１０７０により「プリント」ボタン９０が選択された否かを判断する。「プリント」ボタン９０が選択されていない場合には、ステップ１４０２に戻って処理を継続する。一方、「プリント」ボタン９０が選択された場合には、図１５のステップＳ１５０１に進む。
【００４３】
図１５のステップＳ１５０１では、アプリケーションからの印刷要求を受け付け、印刷処理を開始する。次に、印字データを作成し、記憶部１０３０のディスク装置に保存する（ステップＳ１５０２）。次に、記憶部１０３０のＲＡＭに保存してある印刷属性テーブルを参照し、その情報を印字データに付加する（ステップＳ１５０３）。そして、プリンタ２０にその印字データに送信する（ステップＳ１５０４）。
【００４４】
このステップＳ１５０４で送信された印字データを受けたプリンタ２０は概ね次のように動作することになる。
【００４５】
プリンタ２０の制御部２０１０は、印字データを受信すると、その印字データを記憶部２０３０のディスク装置に保存する。次に、制御部２０１０はその印字データを解析して印刷処理を開始する。ここで、印字属性テーブルのＮｏ．４、Ｎｏ．６に相当する情報を参照した結果、中差し用紙に印刷することが認識されると、中差し用紙に対して独自に設定された条件に従い印刷が行われる。
【００４６】
具体的には、制御部２０１０は、ＯＨＰシートを印刷する場合、印字データを解析して印刷属性テーブルのＮｏ．１、Ｎｏ．２、Ｎｏ．３に相当する情報を参照し、ＯＨＰシートに適した印刷処理を行う。そして、中差し用紙（本実施形態では光沢フィルムが使用される）を印刷する場合、印字データを解析して印刷属性テーブルのＮｏ．５、Ｎｏ．７、Ｎｏ．８に相当する情報を参照し、その条件に従う印刷処理が行われる。
【００４７】
このように、本実施形態によれば、ＯＨＰシートの中差し用紙にも印刷するように指定したときは、別途、中差し用紙のメディアタイプ、中差し用紙のカラー設定等、中差し用紙の印刷条件を設定することができるようにしたので、そこで適切な印刷条件を設定することで、中差し用紙に対する印刷結果の画質を向上させることができ、また、印刷速度を速めることも可能になる。
【００４８】
なお、上述のＯＨＰシートまたは中差し用紙の印刷条件として掲げたメディアタイプ、カラー設定は一例にすぎず、例えば、「中間調の設定」、「グレー補償」、「γの設定」等を設けてもよいことはもちろんである。また、ＯＨＰシートと中差し用紙に対して個別に「カラー印刷／モノクロ印刷」、「オーバーレイの設定」等を設定可能にするようにしてもよい。さらに、ＯＨＰシートと中差し用紙に対して個別に「印刷体裁」（ポートレート／ランドスケープ、両面印刷、Ｎ−ｕｐ印刷等）の設定もできるようにしてもよいであろう。
【００４９】
（他の実施形態）
以上、本発明の実施形態を詳述したが、本発明は、複数の機器（例えばホストコンピュータ、インタフェイス機器、リーダ、プリンタ等）から構成されるシステムに適用しても、１つの機器からなる装置（例えば、複写機、ファクシミリ装置等）に適用してもよい。
【００５０】
なお、本発明は、前述した実施形態の機能を実現するソフトウェアのプログラム（図１４，１５，１６に示すフローチャートに対応したプログラム）を、システムあるいは装置に直接あるいは遠隔から供給し、そのシステムあるいは装置のコンピュータがその供給されたプログラムを読み出して実行することによっても達成される場合を含む。
【００５１】
したがって、本発明の機能処理をコンピュータで実現するために、そのコンピュータにインストールされるプログラムコード自体も本発明を実現するものである。つまり、本発明の特許請求の範囲には、本発明の機能処理を実現するためのコンピュータプログラム自体も含まれる。
【００５２】
その場合、プログラムの機能を有していれば、オブジェクトコード、インタプリタにより実行されるプログラム、ＯＳに供給するスクリプトデータ等、プログラムの形態を問わない。
【００５３】
プログラムを供給するための記憶媒体としては、例えば、フレキシブルディスク、光ディスク（ＣＤ−ＲＯＭ、ＣＤ−Ｒ、ＣＤ−ＲＷ、ＤＶＤ等）、光磁気ディスク、磁気テープ、メモリカード等がある。
【００５４】
その他、プログラムの供給方法としては、インターネットを介して本発明のプログラムをファイル転送によって取得する態様も含まれる。
【００５５】
また、本発明のプログラムを暗号化してＣＤ−ＲＯＭ等の記憶媒体に格納してユーザに配布し、所定の条件をクリアしたユーザに対し、インターネットを介して暗号化を解く鍵情報を取得させ、その鍵情報を使用することで暗号化されたプログラムを実行してコンピュータにインストールさせて実現することも可能である。
【００５６】
また、コンピュータが、読み出したプログラムを実行することによって、前述した実施形態の機能が実現される他、そのプログラムの指示に基づき、コンピュータ上で稼働しているＯＳ等が実際の処理の一部または全部を行い、その処理によって前述した実施形態の機能が実現され得る。
【００５７】
さらに、記憶媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵ等が実際の処理の一部または全部を行い、その処理によっても前述した実施形態の機能が実現される。
【００５８】
【発明の効果】
以上、説明したように本発明によれば、中差し機能により中差し用紙に印刷を行う場合に、中差し用紙に対する印刷結果の画質を向上させるとともに印刷速度を速めることが可能な画像形成装置およびその制御方法を提供することができる。
【図面の簡単な説明】
【図１】実施形態におけるホストコンピュータおよびプリンタの構成を示す図である。
【図２】実施形態におけるホストコンピュータが記憶媒体における内容を読み取る際の態様を示す図である。
【図３】実施形態におけるホストコンピュータのＲＡＭのメモリマップを示す図である。
【図４】実施形態におけるフレキシブルディスクの記憶フォーマットの一例を示す図である。
【図５】実施形態に係る画像形成システムの構成を示す図である。
【図６】実施形態に係る別の態様の画像形成システムの構成を示す図である。
【図７】従来の中差し印刷機能を有する画像形成装置におけるプリントダイアログの一例を示す図である。
【図８】実施形態におけるプリントダイアログの一例を示す図である。
【図９】実施形態におけるメディアタイプの選択リストの一例を示す図である。
【図１０】実施形態におけるカラー設定の選択リストの一例を示す図である。
【図１１】実施形態における給紙先の選択リストの一例を示す図である。
【図１２】従来の印刷属性テーブルの例を示す図である。
【図１３】実施形態における印刷属性テーブルの例を示す図である。
【図１４】実施形態におけるホストコンピュータにおける印刷制御処理を示すフローチャートである。
【図１５】実施形態におけるホストコンピュータにおける印刷制御処理を示すフローチャートである。
【図１６】実施形態におけるホストコンピュータにおける印刷制御処理を示すフローチャートである。
【図１７】通常の印刷済みのＯＨＰシートの排出順序を説明する図である。
【図１８】中差し印刷機能による排出順序を説明する図である。
【図１９】中差し用紙の印刷機能を説明する図である。
【図１】
2004078117.tif 000003
【図２】
2004078117.tif 000004
【図３】
2004078117.tif 000005
【図４】
2004078117.tif 000006
【図５】
2004078117.tif 000007
【図６】
2004078117.tif 000008
【図７】
2004078117.tif 000009
【図８】
2004078117.tif 000010
【図９】
2004078117.tif 000011
【図１０】
2004078117.tif 000012
【図１１】
2004078117.tif 000013
【図１２】
2004078117.tif 000014
【図１３】
2004078117.tif 000015
【図１４】
2004078117.tif 000016
【図１５】
2004078117.tif 000017
【図１６】
2004078117.tif 000018
【図１７】
2004078117.tif 000019
【図１８】
2004078117.tif 000020
【図１９】
2004078117.tif 000021